(57)【要約】      （修正有）【課題】複数の羽板を配列して構成し、光が差し込んで足元を明るくした通気用のガラリを提供する。【解決手段】ガラリは羽板を上下方向へ配列し、そして、間に空間（隙間）を残し、しかも光が漏れない程度に一部重ね合わせた状態で配列しており、少なくとも１枚の羽板または羽板の一部を透明又は半透明としている。羽板は対を成す２枚の表面板を有し、表面板の下部は互いに平行をなし、上部は互いに近づき、交わった上端から繋ぎ片を上方へ延ばしている。表面板の下縁は内側へ屈曲して支持片を形成し、繋ぎ片の上端には断面円形の嵌合部を有している。【選択図】図６
2015218526.tif 000002
【特許請求の範囲】
【請求項１】
複数の羽板を配列して構成した通気用ガラリ又はルーバーにおいて、上記羽板の少なくとも１枚（１本）を透明又は半透明として光を取り入れるようにしたことを特徴とする通気用遮光装置。
【請求項２】
上記羽板の一部に透明部又は半透明部を形成した請求項１記載の通気用遮光装置。
【請求項３】
複数の羽板を配列して構成した通気用ガラリ又はルーバーにおいて、上記羽板の一部に透明部又は半透明部を形成して光を取り入れるようにしたことを特徴とする通気用遮光装置。
【発明の詳細な説明】
【技術分野】
【０００１】
本発明は部屋の出入口に取り付けられるドア等の一部に設けられて、空気が通過すると共に光を遮断することの出来る通気用遮光装置に関するものである。
【背景技術】
【０００２】
図１０は室内用のドアを表しているが、ドア（イ）は２本の縦桟（ロ）、（ロ）と上桟（ハ）と下桟（ニ）にて枠組された縦長で長方形の枠体を成し、片方の側端部には開閉操作時の持手（ホ）が取り付けられている。又中央上部にはガラス（ヘ）が嵌められ、中央下部には通気孔と成るガラリ（ト）が設けられている。勿論、該ドア（イ）はそのデザインを考慮して色々な形態と成し得るが、片側端に取着した蝶番を介して開閉することが出来る。
【０００３】
蝶番を介して開閉するドア（イ）でなく、屋内には引戸を装着することも多い。そして、これらドア（イ）及び引戸には上記通気用のガラリ（ト）が設けられていて、該ガラリ（ト）を通して空気が出入りすることが出来る。ただし、このガラリ（ト）から光が漏れてはならず、空気だけが流れ得る構造となっている。
【０００４】
図１１（ａ）はガラリ（ト）を構成する羽板（チ）を表している。そして、同図（ｂ）は上記羽板（チ）、（チ）・・・を使用して組み立てたガラリ（ト）の縦断面を表しているが、各羽板（チ）、（チ）・・・は上下方向に配列されて縦桟（リ）の溝に両側端が嵌っている。このように配列して枠組されたガラリ（ト）の各羽板（チ）、（チ）・・・には穴（ヌ）、（ヌ）・・・を貫通しており、これら穴（ヌ）、（ヌ）を通して空気が流れるようにしている。
【０００５】
また、図１２は他のガラリ縦断面を示しているが、羽板（ル）、（ル）・・・がその両先端を縦桟（オ）、（オ）に形成した嵌合溝に嵌って位置決め配列されている。したがって、位置決めされた各羽板（ル）、（ル）・・・間には空間（ワ）、（ワ）・・・が形成され、この空間（ワ）、（ワ）・・・を通して空気が流れる。しかし、このガラリ（ト）では各羽板（ル）、（ル）・・・は積み上げられておらず、羽板（ル）を位置決めする為に先端は縦桟（オ）に形成した嵌合溝に嵌められている。
【０００６】
特開平１１−３２４５２１号に係る「通気用ガラリ」は、出願人が以前に行った特許出願であり、羽板は所定の間隔をもった両表面板と、これら表面板の上端を繋ぎ合わせるとともに上端からは繋ぎ片を上方へ延ばし、上方へ上片を延ばしたブロック状の繋ぎ材を両表面板にて挟持すると共に上片の上端は表面板が繋がる境界域まで達し、繋ぎ材に形成した溝及び嵌合溝に、下方の羽板の繋ぎ片を嵌めて連結している。
【０００７】
このように、通気用ガラリの構造は色々存在しているが、その目的は空気が通過出来るように通気孔を有しているが、光を通さない。そこで、前記図９のドア（イ）の場合、ガラス（ヘ）がないならば、閉じた状態では真っ暗になる。仮に、ガラス（ヘ）が嵌っていても足元は暗くなり、明りを点灯しなくてはならない。
ところで、通気用ガラリに類似した通気及び遮光を備えた装置としてルーバーが知られている。該ルーバーとは複数枚の羽板を一定間隔で配列し、各羽板間には空間を設けると共に、羽板の傾斜角度を変えて通気性及び遮光性が調整出来る構造としているが、通気用ガラリと同じような問題がある。
【特許文献１】特開平１１−３２４５２１号に係る「通気用ガラリ」
【発明の開示】
【発明が解決しようとする課題】
【０００８】
このように、従来の通気用ガラリ及びルーバーには上記のごとき問題がある。本発明が解決しようとする課題はこれら問題点であり、各羽板間には空気が流れる空間が確保されると共に、一部に明りを通すことが出来る羽板を備えた通気用遮光装置を提供する。
【課題を解決するための手段】
【０００９】
本発明の通気用遮光装置は複数枚の羽板を配列し、各羽板又は各羽板間に形成した空間を通して空気が流れるようにしている基本的構成は従来の通気用ガラリ及びルーバーと同じである。そして、本発明では少なくとも１枚の羽板を透明又は半透明としている。
また、羽板の一部を透明又は半透明とすることも出来る。そこで、通気用遮光装置の具体的な構造、及び通気用遮光装置を構成する羽板の具体的な形態に関しては特に限定しないことにする。また、羽板の材質も樹脂、木質、金属など色々あり、特に限定しない。
【発明の効果】
【００１０】
本発明の通気用遮光装置は複数枚の羽板を配列して構成し、各羽板に設けた穴又は各羽板間に形成される空間（隙間）を通して空気を流すことが出来る。そして、本発明の通気用遮光装置は一部の羽板が透明又は半透明な材質で構成され、その為に、該羽板を通して光が入り、ドアを閉めても真っ暗になることはない。したがって、点灯しなくても足元が多少明るくなり安全である。
通気用遮光装置の目的は空気を通すが光を遮断するものであるが、通過する光はあくまでも僅かであり、遮光としての目的が損なわれることがない程度の明りが差し込むようにしている。
【図面の簡単な説明】
【００１１】
【図１】ガラリを構成する羽板の具体例。
【図２】羽板を連結する繋ぎ材。
【図３】羽板の両側に繋ぎ材を取付けた場合。
【図４】複数枚の羽板が繋ぎ材を介して連結した場合。
【図５】ガラリの一部を示す縦断面図。
【図６】ガラリを構成する一部の羽板を透明又は半透明とした本発明に係るガラリの実施例。
【図７】羽板の一部を透明又は半透明としたガラリの一部縦断面。
【図８】羽板の中央部を半透明とした具体例。
【図９】本発明の通気性遮光装置の他の１つであるルーバーを示す具体例。
【図１０】下方にガラリを取付けたドアの具体例。
【図１１】（ａ）はガラリを構成する羽板、（ｂ）はガラリの一部縦断面。
【図１２】ガラリの一部縦断面。
【発明を実施するための形態】
【００１２】
図１は本発明の通気用遮光装置の１つである通気用ガラリを構成する羽板１を示す実施例である。ガラリはこの羽板１，１・・・を上下方向へ配列し、そして、間に空間（隙間）を残し、しかも光が漏れない程度に一部重ね合わせた状態で配列している。該羽板１は対を成す２枚の表面板２ａ，２ｂを有し、表面板２ａ，２ｂの下部は互いに平行をなし、上部は互いに近づき、交わった上端から繋ぎ片３を上方へ延ばしている。上記表面板２ａ，２ｂの下縁は内側へ屈曲して支持片４ａ，４ｂを形成し、繋ぎ片３の上端には断面円形の嵌合部５を有している。
【００１３】
図２は繋ぎ材６を表している実施例で、その形状はブロック体７の上方へ上片８を延ばしている。そして、この繋ぎ材６の下面９を開口して全長におよぶ溝１０が形成され、溝底には円形断面の嵌合溝１１を有している。ところで、繋ぎ材６は上記図１に示している羽板１の両表面板２ａ，２ｂに挟まれ、支持片４ａ，４ｂに載って取り付けられる。
一方、溝１０には羽板１の繋ぎ片３が嵌り、嵌合溝１１には上端の嵌合部５が嵌合することが出来る大きさとなっている。そして、繋ぎ材６が両表面材２ａ，２ｂに挟まれて支持された状態で上片８は上方へ延び、その上端は表面材２ａ，２ｂが別れる境界域１２まで達することが出来る。
【００１４】
図３は繋ぎ材６，６を羽板繋ぎ片３の両サイドに取り付けした場合であり、繋ぎ材６の溝１０及び嵌合溝１１に繋ぎ片３及び嵌合部５が嵌っている。同図は繋ぎ材６，６を取り付けした状態で各羽板１，１・・・は分離しているが、繋ぎ材６を上方の羽板１の両表面板２ａ，２ｂに挟むと共に、支持片４ａ，４ｂに載って支持することで各羽板１，１・・・は互いに連結される。
【００１５】
図４は繋ぎ材６，６・・・を介して各羽板１，１・・・を連結した場合を示している。繋ぎ材６は上方に位置する羽板１の表面板２ａ，２ｂに挟まれると共に、両支持片４ａ，４ｂに載って支えられるために該繋ぎ材６は落下することはなく、また、上片８が境界域１２に達しているために浮上することもなく位置決め・取着される。そして、繋ぎ材６の溝１０及び嵌合溝１１に嵌っている下方の羽板１は該繋ぎ材６から外れることはなく、各羽板１，１・・・は繋ぎ材６，６・・・を介して一定間隔で連結される。
【００１６】
図５は羽板１，１・・・が連結している場合の縦断面を示している。（ａ）は繋ぎ材６，６・・・が位置する箇所を、（ｂ）は繋ぎ材６，６・・・が位置しない中央部の縦断面である。（ａ）から明らかなように、繋ぎ材６，６・・・にて連結された羽板１，１・・・は分離することなく、又互いの間隔を縮めることもない。そして、中央部には各羽板１，１・・・間に空気が流れる空間１３．１３・・・が形成されている。
ところで、繋ぎ材６，６・・・の取り付け方は、一般に各羽板１，１・・・を所定の間隔で配置した状態で側端側から挿入する。
【００１７】
羽板１の両サイドに差し込まれた繋ぎ材６，６は位置ズレすることがあるが、この位置ズレを防止するために両表面板２ａ，２ｂに強く挟んで固定したり、又は接着剤にて固着することも可能である。そして、複数枚の羽板１，１・・・を連結し、外周には縦桟及び横桟にて枠組した枠体を両側から取り付けしてガラリが出来上がる。
【００１８】
ところで、本発明に係るガラリは通気性を備えているが、遮光性に関しては完全ではなく、複数の羽板の内少なくとも１枚は透明又は半透明と成っている。図６は斜線で表わした不透明な羽板と斜線のない透明な羽板が交互に配列したガラリを表している。前記図３、図４に示している羽板１，１・・・の場合も、斜線を施した羽板１，１は光を通さない材質で構成し、斜線のない羽板１，１は透明又は半透明な材質で構成している。したがって、ガラリの遮光性は失われ、多少の明かりが射し込むことが出来、暗がり状態が解消される。
【００１９】
図６は透明な羽板を１つ置きに配列しているが、適当な位置に２〜３枚の透明な羽板を配列する場合もある。ところで、羽板１の材質としては、一般に樹脂が使用されるが、木質や金属であっても構わない。しかし、透明又は半透明の羽板１は透明又は半透明な樹脂やガラスを材質として用いることが出来る。
【００２０】
上記実施例で説明したガラリは羽板１，１・・・を繋ぎ材６，６・・・を介して連結した構造であるが、本発明では該ガラリの具体的な構造は特に限定するものではない。例えば、前記図１２に示した羽板（ル）、（ル）・・・を用いて構成する場合もあり、また、図１１に示した羽板（チ）、（チ）・・・を用いることも可能である。そして、羽板１の一部を透明又は半透明な材質の羽板として構成することも出来る。
【００２１】
図７は前記図１2に示したガラリにおいて、羽板（ル）、（ル）・・・の一部を透明樹脂で構成しているガラリを表している。そして、ガラリを構成する複数枚の羽板１，１・・・の内の一部を透明又は半透明とすることで、該ガラリから僅かな光が差し込むようになり、足元は多少明るくなる。ここで、透明又は半透明な羽板１として、その全体が透明又は半透明とするのが一般的であるが、羽板１の一部（例えば中央部）のみを透明又は半透明とすることも可能である。
【００２２】
図８は羽板１４の中央部を透明又は半透明として場合の具体例である。羽板１４は前記図１に示した場合と同じ形態であるが、中央部は半透明部１５とし、両側部は非透明な遮光部１６，１６と成っている。
ところで、半透明部１５を有す羽板１４は、全体を半透明樹脂で成形し、両側部を塗装したり又はテープを貼着することで遮光部１６，１６を形成することが出来る。一方、遮光部１６，１６を金属製として金型にセットし、半透明部１５を成形する為に半透明な樹脂を流し込むことで金属製の遮光部１６，１６を一体化した羽板１４を構成出来る。
【００２３】
図９は本発明に係る通気性遮光装置を示す他の実施例で、ルーバーの具体例を表している。該ルーバーは複数枚の平坦な羽板１７ａ，１７ｂ・・・が一定間隔で配列し、各羽板１７ａ，１７ｂ・・・の間には空間１８，１８・・・を設けている。そして、各羽板１７ａ，１７ｂ・・・の両端は紐を介して吊設され、又は羽板の両端に設けた軸を介して回転することで各羽板１７ａ，１７ｂ・・・の傾きを調整することが出来る。各羽板１７ａ，１７ｂ・・・を反時計方向に回転するならば空間１８，１８・・・は狭くなり、各羽板１７ａ，１７ｂ・・・を時計方向に回転するならば空間１８，１８・・・は大きく成る。
【００２４】
同図に示すルーバーを構成する羽板の内、１７ａ，１７ａ・・・は透明又は半透明の樹脂で構成され、斜線を引いた羽板１７ｂ，１７ｂ・・・は非透明な樹脂で構成している。そのために、各羽板１７ａ，１７ｂ・・・が半時計方向に回転して空間１８，１８・・・が無くなった状態であっても、透明又は半透明な羽板１７ａ，１７ａ・・・からは明りが差し込むことが出来る。
【００２５】
ところで、本発明の通気用ガラリ及びルーバーの用途を限定するものではないが、例えば従来と同じように扉などの建具類の一部に組み込む場合、窓のブラインドとして使用する場合、換気口に取付ける場合、天井の一部に取付ける場合、さらにパーティションなどの間仕切りに備える場合など、その用途は色々ある。
【符号の説明】
【００２６】
１   羽板
２   表面板
３   繋ぎ片
４   支持片
５   嵌合部
６   繋ぎ材
７   ブロック体
８   上片
９   下面
10   溝
11   嵌合溝
12   境界域
13   空間
14   羽板
15   半透明部
16   遮光部
17   羽板
18   空間
【図１】
2015218526.tif 000003
【図２】
2015218526.tif 000004
【図３】
2015218526.tif 000005
【図４】
2015218526.tif 000006
【図５】
2015218526.tif 000007
【図６】
2015218526.tif 000008
【図７】
2015218526.tif 000009
【図８】
2015218526.tif 000010
【図９】
2015218526.tif 000011
【図１０】
2015218526.tif 000012
【図１１】
2015218526.tif 000013
【図１２】
2015218526.tif 000014